(57)【要約】【課題】 パチンコ店側による命釘の調整を規制し、入賞確率を大幅に変動させることを防止し、徒に遊技者の射幸心を煽ることなく、健全な遊技環境を破壊するおそれのない遊技機を提供する。【解決手段】 球受け具２０の基盤２２の上部には命釘規制部３０が設けられている。命釘規制部３０は、前板３０ａと同前板３０ａを支持する一対の側板３０ｂとからなる。前板３０ａの上部には、一対の係合部３０ｃが形成されている。係合部３０ｃは、前板３０ａの内側（遊技盤３の側）の面に一対の円形の凸部を形成し、その凸部に一対の円形の凹部を形成したものである。命釘２１ａ、２１ｂの頭部は、命釘規制部３０の係合部３０ｃと係合している。【選択図】　　　　図４
2004000726.tif 000002
【特許請求の範囲】
【請求項１】
ほぼ垂直に配置された遊技盤と遊技球を弾く弾球手段とを有し、少なくとも同遊技盤面に入賞口を形成し、前記弾球手段によって弾かれて上方から落下する遊技球を同入賞口へ導くように球受け部材を同盤面に装着するとともに、同球受け部材の球導入口へ遊技球を導く命釘を装着した遊技機において、前記命釘を調整不能に規制する規制手段を設けたことを特徴とする遊技機。
【請求項２】
前記規制手段は、前記球受け部材又は前記球通過部材に形成した前記命釘の頭部と係合する係合部であって、同係合部によって命釘の頭部を一定以上動かないように規制した請求項１に記載の遊技機。
【請求項３】
前記規制手段は、前記命釘の頭部同士を連結して命釘同士の間隔を規制するスペーサである請求項１に記載の遊技機。
【発明の詳細な説明】
【技術分野】
【０００１】
　この発明は、パチンコ遊技機等において球受け部材へ遊技球を導く命釘を設けてなる遊技機に関する。
【背景技術】
【０００２】
　従来の遊技機、例えばパチンコ機ではハンドル操作で打ち出された遊技球は盤面を上方から下方へ遊技釘に当たりながら経路を変えながら落下する。そして、ある遊技球は球受け部材に取り込まれ、球受け部材から入賞口へ導かれ入賞する。この球受け部材の上方に遊技球の同球受け部材への導入を左右する命釘が装着されている。命釘はその装着位置や装着された釘の微妙な傾きで球受け部材への入賞確率を変動させることが可能である。パチンコ機メーカーでは規定の入賞確率となるように製造時に命釘を所定の位置に装着しているため、本来後から命釘を調整することは予定していない。
【発明の開示】
【発明が解決しようとする課題】
【０００３】
　しかし、前記従来の遊技機においては、自由に命釘を調整して、入賞確率を変動させることができるので、パチンコ店側において、命釘を調整して入賞確率を意図的に変動させることが可能である。例えば命釘の傾きを調整して遊技球を球受け部材に取り込まれやすくすれば規定の入賞確率以上となるため、徒に遊技者の射幸心を煽り、健全な遊技環境を破壊するおそれがある。
　この発明はこのような事情に鑑みてなされたものであって、その目的は、パチンコ店側による命釘の調整を規制し、入賞確率を大幅に変動させることを防止し、徒に遊技者の射幸心を煽ることなく、健全な遊技環境を破壊するおそれのない遊技機を提供することにある。
【課題を解決するための手段】
【０００４】
　上記の目的を達成するために、請求項１に記載の発明は、ほぼ垂直に配置された遊技盤と遊技球を弾く弾球手段とを有し、少なくとも同遊技盤面に入賞口を形成し、前記弾球手段によって弾かれて上方から落下する遊技球を同入賞口へ導くように球受け部材を同盤面に装着するとともに、同球受け部材の球導入口へ遊技球を導く命釘を装着した遊技機において、前記命釘を調整不能に規制する規制手段を設けたことをその要旨とする。また、上記の目的を達成するために、請求項２に記載の発明は、請求項１に記載の遊技機において、前記規制手段は、前記球受け部材又は前記球通過部材に形成した前記命釘の頭部と係合する係合部であって、同係合部によって命釘の頭部を一定以上動かないように規制したことをその要旨とする。
　また、上記の目的を達成するために、請求項３に記載の発明は、請求項１に記載の遊技機において、前記規制手段は、前記命釘の頭部同士を連結して命釘同士の間隔を規制するスペーサであることをその要旨とする。
【発明の効果】
【０００５】
　請求項１に記載の発明では、前記命釘を調整不能に規制する規制手段を設けたので、パチンコ店側が命釘を調整して入賞確率を変動させることができない。従って、徒に遊技者の射幸心を煽ることもなく、健全な遊技環境を破壊するおそれもない。
　請求項２に記載の発明では、請求項１に記載の発明の効果に加え、前記規制手段は、前記球受け部材又は前記球通過部材に形成した前記命釘の頭部と係合する係合部であって、同係合部によって命釘の頭部を一定以上動かないように規制するものであり、命釘の頭部以外の部分は規制されないので、遊技球が命釘の頭部以外の部分に衝突した後の挙動に影響を与えることがない。即ち、命釘の頭部以外の部分を規制した場合には、遊技球が規制手段に衝突するとその後の挙動に影響を与える。
　請求項３に記載の発明では、請求項１に記載の発明の効果に加え、前記規制手段は、前記命釘の頭部同士を連結して間隔を規制するスペーサであるので、一の命釘を曲げようとすると他の命釘も同様に動き、命釘間の間隔を拡げることができない。また、命釘の頭部以外の部分は連結されないので、遊技球が命釘の頭部以外の部分に衝突した後の挙動に影響を与えることがない。
【発明を実施するための最良の形態】
【０００６】
　以下、本発明の実施の形態である遊技機（第１種始動口付きパチンコ機、以下単にパチンコ機という）を説明する。
　図１に示すように、外枠１には前枠２が回動軸を中心に回動可能に装着されている。同図１では前枠２は閉じた状態にある。前枠２には図示しない遊技盤、ガラス枠４、上皿５、下皿６、ハンドル部７等が装着されている。ガラス枠４は、前枠２に回動軸を中心に回動可能に装着されている。上皿５の側方であって前枠２内部にはスピーカ８が埋設されている。スピーカ８は遊技の進行に伴い種々の効果音を鳴らしたり、遊技者に遊技状態を音声にて報知する。前枠２内部には各種機構部が配設されている。
【０００７】
　次に遊技盤３の遊技面上の構成について説明する。
　図２に示すように、遊技盤３の中央には第１の可変表示装置たる特別図柄表示装置（以下単に表示装置という）１５が組み込まれている。表示装置１５は液晶ディスプレイ（ＬＣＤ）よりなる表示画面１５ａを備えている。表示画面１５ａの図柄変動は遊技球が第１種始動口１８へ入賞することで開始する。表示装置１５の上部には普通図柄表示装置１６が併設されている。普通図柄表示装置１６は発光ダイオード（ＬＥＤ）よりなる４つの保留ランプ１６ａ〜１６ｄとＬＥＤよりなるセグメント表示部１７とを有している。
　表示装置１５の下方には第１種始動口１８が配置され、同第１種始動口１８の前面には球受け部材としての球受け具２０が装着されている。第１種始動口１８には球検出手段たる近接スイッチ１８ａが埋設されている。球受け具２０の入り口には一対の開閉羽根２６が併設されており、遊技球を案内する開放位置と、第１種始動口１８内に遊技球が入りにくくなる閉塞位置を採りうる。第１種始動口１８への入賞に基づいて前記表示装置１５が作動される。開閉羽根２６は遊技盤３の裏面側に配設されたソレノイド２７によって駆動される。
　遊技盤３の面上には遊技釘が適宜配置され、球受け具２０の直上には一対の命釘２１ａ、２１ｂが配置されている。遊技釘は遊技盤３に打ち込まれている。
【０００８】
　以下、球受け具２０について詳述する。図３（ａ）〜（ｄ）に示すように球受け具２０は、基盤２２、導入口２４、開閉羽根２６、球受け部２８、規制手段としての命釘規制部３０、開閉羽根の開閉桿３２、ピン３４とから構成されている。基盤２２の中央部には開口部２２ａが形成されている。開口部２２ａの裏面には略四角筒状の導入口２４が形成され、導入口２４の下部中央には半円筒状の樋２４ａが形成されている。基盤２２の前面には、球受け部２８が基盤２２の開口部２２ａを覆うように装着されている。球受け部２８には一対の係止爪２８ａが形成され、同係止爪２８ａは基盤２２の開口部２２ａの両側に形成された係止孔２２ｂに係合されている。球受け部２８の係止爪の上方には一対の軸２８ｂが形成されている。基盤２２と球受け部２８との間であって、基盤２２の開口部２２ａの両側には一対の開閉羽根２６が装着されている。開閉羽根２６は先端が細くなった略三角函体状に形成され、基端寄りに回動孔２６ａ、基端に切欠部２６ｂが形成されている。球受け部２８に形成された一対の軸２８ｂは開閉羽根２６の回動孔２６ａに軸通されており、開閉羽根２６は軸２８ｂを中心に回動可能に装着されている。略四角筒状の導入口２４内には開閉羽根２６の開閉桿３２がピン３４を軸として上下方向に回動可能に装着されている。開閉桿３２は、前記ソレノイド２７の駆動により上下動する第１の腕部３２ａとピン３４が軸通される軸受部３２ｂと軸受部３２ｂの両端から延設される一対の第２の腕部３２ｃとからなる。第２の腕部３２ｃの先端は開閉羽根２６の切欠部２６ｂと係合しており、第１の腕部３２ａが押し下げられると第２の腕部３２ｃはピン３４を軸に上方に回動する。第２の腕部３２ｃの先端は開閉羽根２６の切欠部２６ｂを上方に押し上げ、開閉羽根２６の先端が外側に回動し、開閉羽根２６が開くようになっている。逆に第１の腕部３２ａが押し上げられると第２の腕部３２ｃはピン３４を軸に下方に回動する。第２の腕部３２ｃの先端は開閉羽根２６の切欠部２６ｂを下方に押し下げ、開閉羽根２６の先端が内側に回動し、開閉羽根２６が閉じるようになっている。
【０００９】
　基盤２２の上部には、命釘規制部３０が形成されている。命釘規制部３０は、前板３０ａと同前板３０ａを支持する一対の側板３０ｂとにより枠状に形成されている。前板３０ａは、側板３０ｂよりも高く形成され、その上部には、一対の係合部３０ｃが形成されている。係合部３０ｃは、前板３０ａの内側（遊技盤３の側）の面に一対の円形の凸部を形成し、その凸部に一対の円形の凹部を形成したものである。係合部３０ｃの径は、遊技釘の頭部の径よりも少し大きく形成されている。基盤２２の両端寄りには、球受け具２０を遊技盤３にネジで装着するための一対の孔３６が形成されている。球受け具２０が遊技盤３にネジ３７で装着された状態においては、図４（ａ）〜（ｄ）に示すように命釘２１ａ、２１ｂの頭部は、命釘規制部３０の係合部３０ｃと係合している。図中、距離Ｐの長さは約１９ｍｍ、距離Ｑの長さは約１８ｍｍである。
【００１０】
　表示装置１５の両側には一対の通過ゲート３８が配置されている。同ゲート３８には遊技球の通過を検出する球検出手段たる近接スイッチ３８ａが埋設されている。通過ゲート３８を遊技球が通過すると前記普通図柄表示装置１６が作動する。図５（ａ）（ｂ）に示すように、通過ゲート３８は、基盤４０とその前面に形成された枠状のゲート４２とからなる。ゲート４２は前板４２ａと同前板４２ａを支持する一対の側板４２ｂとからなる。前板４２ａは、側板４２ｂよりも高く形成され、その上部には、一対の係合部４２ｃが形成されている。係合部４２ｃは、前板４２ａの内側（遊技盤３の側）の面に一対の円形の凸部を形成し、その凸部に一対の円形の凹部を形成したものである。係合部４２ｃの径は、遊技釘の頭部の径よりも少し大きく形成されている。通過ゲート３８の直上には、一対の命釘３９ａ、３９ｂが配設されている。命釘３９ａ、３９ｂの頭部は、通過ゲート３８の係合部４２ｃと係合している。図中、距離Ｔの長さは約１９ｍｍ、距離Ｕの長さは約１８ｍｍである。
【００１１】
　通過ゲート３８の下方には一対の普通入賞口４４が配置されている。普通入賞口４４には、球検出手段たる近接スイッチ４４ａが埋設されている。普通入賞口４４の前面には、球受け部材としての球受け具４６が装着されている。図６（ａ）（ｂ）に示すように、球受け具４６の上部には開口部４６ａが形成され、同開口部４６ａの前面側の縁からは、前板４８が延設され、その上部には一対の係合部４８ａが形成されている。係合部４８ａは、前板４８の内側（遊技盤３の側）の面に一対の円形の凸部を形成し、その凸部に一対の円形の凹部を形成したものである。係合部４８ａの径は、遊技釘の頭部の径よりも少し大きく形成されている。球受け具４６の直上には、一対の命釘４７ａ、４７ｂが配設されている。命釘４７ａ、４７ｂの頭部は、球受け具４６の係合部４８ａと係合している。図中、距離Ｖの長さは約１９ｍｍ、距離Ｗの長さは約１８ｍｍである。表示装置１５の上部の両側には風車５０ａ，５０ｂが、下部の両側には風車５０ｃ，５０ｄが配置されている。
　前記第１種始動口１８の下方には大入賞口５４が配置されている。大入賞口５４は、常時はシャッタ５６が閉塞されており、前記表示装置１５が作動されて特別遊技状態となると開放される。シャッタ５６は遊技盤３の裏面側に配設されたソレノイド５６ａによって駆動される。また、大入賞口５４へ入賞する遊技球全体を検出する球検出手段たる近接スイッチ５４ａが埋設されている。大入賞口５４の通路内にはＶゾーン５８が形成されている。同Ｖゾーン５８には同ゾーン５８を通過する遊技球を検出する球検出手段たる近接スイッチ５８ａが埋設されている。
【００１２】
　次に、本実施の形態の遊技機の作用について説明する。本実施の形態のパチンコ機においては、第１種始動口１８の前面に装着された球受け具２０、通過ゲート３８、普通入賞口４４の前面に装着された球受け具４６のそれぞれ直上に配置された一対の命釘２１ａ，２１ｂ、３９ａ，３９ｂ、４７ａ，４７ｂの頭部が、それぞれ一対の係合部３０ｃ、４２ｃ、４８ａと係合し、移動不能に規制されている。従って、パチンコ店側が遊技機設置後において、命釘２１ａ、２１ｂ、３９ａ、３９ｂ、４７ａ、４７ｂをハンマ等で叩いても命釘の位置は変わらず、入賞確率を調整することはできない。
【００１３】
　このように構成することにより本実施の形態の遊技機は以下のような効果を奏する。
・第１種始動口１８の前面に装着された球受け具２０、通過ゲート３８、普通入賞口４４の前面に装着された球受け具４６のそれぞれ直上に配置された一対の命釘２１ａ、２１ｂ、３９ａ、３９ｂ、４７ａ、４７ｂの頭部が、それぞれ一対の係合部３０ｃ、４２ｃ、４８ａと係合し、移動不能に規制されているので、パチンコ店側が遊技機設置後において、命釘２１ａ、２１ｂ、３９ａ、３９ｂ、４７ａ、４７ｂをハンマ等で叩いて入賞確率を調整することはできない。
・遊技機製造メーカーにおいて、製造当初から予定された入賞確率がパチンコ店に設置された後も維持され、パチンコ店による恣意的な入賞確率設定を排除できる。
・パチンコ店側が命釘を調整して入賞確率を変動させることができないので、徒に遊技者の射幸心を煽ることもなく、健全な遊技環境を破壊するおそれがない。
・命釘２１ａ、２１ｂ、３９ａ、３９ｂ、４７ａ、４７ｂの頭部以外の部分は規制されないので、遊技球が命釘２１ａ、２１ｂ、３９ａ、３９ｂ、４７ａ、４７ｂの頭部以外の部分に衝突した後の挙動に影響を与えることがない。即ち、命釘の頭部以外の部分を規制した場合には、遊技球が規制手段に衝突するとその後の挙動に影響を与える。
【００１４】
　なお、この発明は前記実施の形態に限定されるものではなく、次のように変更して具体化することも可能である。
　・図７に示すように、基盤２２に装着された球受け部２８の前面の前板２８ａを上方に延設し、その前板２８ａの盤面側に一対の係合部７０を形成してもよい。係合部７０は、前板２８ａの内側（遊技盤３の側）の面に一対の円形の凸部を形成し、その凸部に一対の円形の凹部を形成したものである。係合部７０の径は、遊技釘の頭部の径よりも少し大きく形成されている。この場合には、開閉羽根２６が開いたときの入賞確率を左右する一対の命釘７２をパチンコ店が調整することを防止できる。
　・図８に示すように、命釘７４の頭部を移動不能に規制する係合部７６を凹部でなく、孔としてもよい。パチンコ機においては、通常盤面からガラス板までの距離が約１９ｍｍ、盤面から遊技釘の頭頂までの距離が約１８ｍｍであり、凹部とした場合は係合部がガラス板と接触するおそれがあるが、孔とした場合にはそのおそれがない。
　・図９に示すように、命釘の頭部を移動不能に規制する係合部８０ａ、８０ｂの凹部を長円形としてもよい。この場合には、パチンコ機の製造時に命釘の位置をその範囲で調整できる。
　・図１０（ａ）〜（ｄ）に示すように、一対の命釘８２ａ、８２ｂの頭部同士をスペーサ８４で連結してもよい。スペーサ８４は長板状に形成され、両端に鉤状の把持部８４ａを形成したものである。スペーサ８４は、同把持部８４ａを命釘８２ａ、８２ｂの頭部の下方に装着することにより使用される。この場合には、設置後にパチンコ店において一対の命釘８２ａ、８２ｂをハンマ等で殴打して曲げることは可能であるが、一対の命釘８２ａ、８２ｂの間隔を拡げたり、狭めたりすることはできないので大幅に入賞確率を変動させることは不可能である。また、３本の命釘、８５ａ、８５ｂ、８５ｃの頭部同士も相互にスペーサ８４で連結できる。従って、命釘が３本以上の場合でも対応できる。
　・図１１（ａ）〜（ｄ）に示すように、固定具８８を用いて命釘を調整できないようにしてもよい。固定具８８は、筒状の保持部９０の一端に円盤状の固定部９２を固設したものである。固定部９２には遊技盤３に装着するための一対のネジ孔９２ａが形成されている。固定具８８は、保持部９０を命釘９４の外側を覆うようにして装着し、固定部９２を遊技盤３にネジで固定することにより使用される。この場合には固定具８８を靭性の低い素材で形成すれば、命釘を曲げようとすれば固定具８８は破壊されてしまうので、固定具８８を破壊しないで命釘９４を調整することはできない。また、図１２（ａ）（ｂ）に示すように、球受け具９５の基盤９６から固定部９８を延設し、一体的に形成してもよい。
　・図１３（ａ）（ｂ）に示すように、図柄表示装置１００の周囲を装飾する装飾部材１０２の上部に遊技球Ｂの入口１０４が設けられ、同入口１０４に入った遊技球Ｂが通路１０６を通ってステージ１０８上に移動し、孔１１０から落下して入賞口１１２に入賞する遊技機においては、入口１０４の上部に配置された一対の命釘１１４ａ、１１４ｂの移動を規制する命釘規制部１１６を設けてもよい。命釘規制部１１６は、装飾部材１０２から延設された前板１１８の盤面側に一対の係合部１２０を形成したものである。係合部１２０は、前板１１８の内側の面に一対の円形の凸部を形成し、その凸部に一対の円形の凹部を形成したものである。係合部１２０の径は、遊技釘の頭部の径よりも少し大きく形成されている。
【００１５】
　本発明について上記実施の形態から把握できる技術的思想について以下に記載する。
　・ほぼ垂直に配置された遊技盤と遊技球を弾く弾球手段とを有し、少なくとも同遊技盤面に球入口を形成し、前記弾球手段によって弾かれて上方から落下する遊技球を同球入口へ導く命釘を装着した遊技機において、前記命釘を調整不能に規制する規制手段を設けたことを特徴とする遊技機。上記実施の形態では、球受け具２０、通過ゲート３８、球受け具４６、入口１０４が球入口に相当する。
　・ほぼ垂直に配置された遊技盤と遊技球を弾く弾球手段とを有し、少なくとも同遊技盤面に前記弾球手段によって弾かれて上方から落下する遊技球が通過する球通過部材を同盤面に装着し、同球通過部材を遊技球が通過すると入賞確率に影響を及ぼし、同球通過部材の球導入口へ遊技球を導く命釘を装着した遊技機において、前記命釘を調整不能に規制する規制手段を設けたことを特徴とする遊技機。
　・前記規制手段は、筒状の規制部と同規制部を遊技盤面とほぼ垂直に固定する基盤とからなることを特徴とする請求項１に記載の遊技機。
【図面の簡単な説明】
【００１６】
【図１】本発明の実施の形態のパチンコ機の斜視図。
【図２】実施の形態のパチンコ機の盤面を示す正面図。
【図３】（ａ）実施の形態のパチンコ機の始動口の前面に装着される球受け具を正面側から見た斜視図。（ｂ）同球受け具の背面側から見た斜視図。（ｃ）同球受け具を正面側から見た分解斜視図。（ｄ）同球受け具の背面側から見た分解斜視図。
【図４】（ａ）実施の形態のパチンコ機の始動口の前面に装着される球受け具の正面図。（ｂ）図（ａ）におけるＡ−Ａ断面図。（ｃ）図（ａ）における一部破断Ｂ−Ｂ断面図。（ｄ）図（ａ）におけるＣ−Ｃ断面図。
【図５】（ａ）実施の形態のパチンコ機の通過ゲートを示す正面図。（ｂ）図（ａ）におけるＡ−Ａ断面図。
【図６】（ａ）実施の形態のパチンコ機の普通入賞口の球受け具を示す一部破断正面図。（ｂ）図（ａ）におけるＡ−Ａ断面図。
【図７】実施の形態のパチンコ機の始動口の前面に装着される別例の球受け具の正面図。
【図８】実施の形態のパチンコ機の入賞口の前面に装着される別例の球受け具の係止部の断面図。
【図９】（ａ）実施の形態のパチンコ機の入賞口の前面に装着される別例の球受け具の係止部の背面図。（ｂ）図（ａ）におけるＡ−Ａ断面図。
【図１０】（ａ）命釘のスペーサで命釘同士を連結した状態を示す正面図。（ｂ）同平面図。（ｃ）同命釘のスペーサの正面図。（ｄ）同スペーサで３本の命釘同士を連結した状態を示す正面図。
【図１１】（ａ）命釘の固定具を示す正面図。（ｂ）同平面図。（ｃ）図（ａ）におけるＡ−Ａ断面図。（ｄ）命釘の固定具を遊技盤に装着した状態を示す正面図。
【図１２】（ａ）実施の形態のパチンコ機の入賞口の前面に装着される別例の球受け具の正面図。（ｂ）図（ａ）におけるＡ−Ａ断面図。
【図１３】（ａ）実施の形態の別例のパチンコ機の盤面を示す正面図。（ｂ）図（ａ）におけるＡ−Ａ拡大断面図。
【符号の説明】
【００１７】
　３…遊技盤、２０…球受け部材としての球受け具、２１ａ、２１ｂ…命釘、３０ｃ、４２ｃ…係合部、８４…スペーサ。
【図１】
2004000726.tif 000003
【図２】
2004000726.tif 000004
【図３】
2004000726.tif 000005
【図４】
2004000726.tif 000006
【図５】
2004000726.tif 000007
【図６】
2004000726.tif 000008
【図７】
2004000726.tif 000009
【図８】
2004000726.tif 000010
【図９】
2004000726.tif 000011
【図１０】
2004000726.tif 000012
【図１１】
2004000726.tif 000013
【図１２】
2004000726.tif 000014
【図１３】
2004000726.tif 000015
【手続補正書】
【提出日】平成15年8月5日(2003.8.5)
【手続補正１】
【補正対象書類名】特許請求の範囲
【補正対象項目名】全文
【補正方法】変更
【補正の内容】
【特許請求の範囲】
【請求項１】
ほぼ垂直に配置された遊技盤と遊技球を弾く弾球手段とを有し、少なくとも同遊技盤面に入賞口を形成し、前記弾球手段によって弾かれて上方から落下する遊技球を同入賞口へ導くように球受け部材を同盤面に装着するとともに、同球受け部材の球導入口へ遊技球を導く命釘を装着した遊技機において、前記命釘を調整不能に規制する規制手段を設けるとともに、同規制手段を同命釘を包囲する筒状の規制部と同規制部を遊技盤面とほぼ垂直に固定する基盤とから構成するようにしたことを特徴とする遊技機。
【請求項２】
前記規制部は球受け具と一体的に形成されていることを特徴とする請求項１に記載の遊技機。
【手続補正２】
【補正対象書類名】明細書
【補正対象項目名】全文
【補正方法】変更
【補正の内容】
【発明の詳細な説明】
【技術分野】
【０００１】
　この発明は、パチンコ遊技機等において球受け部材へ遊技球を導く命釘を設けてなる遊技機に関する。
【背景技術】
【０００２】
　従来の遊技機、例えばパチンコ機ではハンドル操作で打ち出された遊技球は盤面を上方から下方へ遊技釘に当たりながら経路を変えながら落下する。そして、ある遊技球は球受け部材に取り込まれ、球受け部材から入賞口へ導かれ入賞する。この球受け部材の上方に遊技球の同球受け部材への導入を左右する命釘が装着されている。命釘はその装着位置や装着された釘の微妙な傾きで球受け部材への入賞確率を変動させることが可能である。パチンコ機メーカーでは規定の入賞確率となるように製造時に命釘を所定の位置に装着しているため、本来後から命釘を調整することは予定していない。
【発明の開示】
【発明が解決しようとする課題】
【０００３】
　しかし、前記従来の遊技機においては、自由に命釘を調整して、入賞確率を変動させることができるので、パチンコ店側において、命釘を調整して入賞確率を意図的に変動させることが可能である。例えば命釘の傾きを調整して遊技球を球受け部材に取り込まれやすくすれば規定の入賞確率以上となるため、徒に遊技者の射幸心を煽り、健全な遊技環境を破壊するおそれがある。
　この発明はこのような事情に鑑みてなされたものであって、その目的は、パチンコ店側による命釘の調整を規制し、入賞確率を大幅に変動させることを防止し、徒に遊技者の射幸心を煽ることなく、健全な遊技環境を破壊するおそれのない遊技機を提供することにある。
【課題を解決するための手段】
【０００４】
　上記の目的を達成するために、請求項１に記載の発明は、ほぼ垂直に配置された遊技盤と遊技球を弾く弾球手段とを有し、少なくとも同遊技盤面に入賞口を形成し、前記弾球手段によって弾かれて上方から落下する遊技球を同入賞口へ導くように球受け部材を同盤面に装着するとともに、同球受け部材の球導入口へ遊技球を導く命釘を装着した遊技機において、前記命釘を調整不能に規制する規制手段を設けるとともに、同規制手段を同命釘を包囲する筒状の規制部と同規制部を遊技盤面とほぼ垂直に固定する基盤とから構成するようにしたことをその要旨とする。また、上記の目的を達成するために、請求項２に記載の発明は、請求項１に記載の遊技機において、前記規制部を球受け具と一体的に形成したことをその要旨とする。
【発明の効果】
【０００５】
　請求項１及び２に記載の発明では、前記命釘を調整不能に規制する規制手段を設けたので、パチンコ店側が命釘を調整して入賞確率を変動させることができない。従って、徒に遊技者の射幸心を煽ることもなく、健全な遊技環境を破壊するおそれもない。
【発明を実施するための最良の形態】
【０００６】
　以下、本発明の実施の形態である遊技機（第１種始動口付きパチンコ機、以下単にパチンコ機という）を説明する。
　図１に示すように、外枠１には前枠２が回動軸を中心に回動可能に装着されている。同図１では前枠２は閉じた状態にある。前枠２には図示しない遊技盤、ガラス枠４、上皿５、下皿６、ハンドル部７等が装着されている。ガラス枠４は、前枠２に回動軸を中心に回動可能に装着されている。上皿５の側方であって前枠２内部にはスピーカ８が埋設されている。スピーカ８は遊技の進行に伴い種々の効果音を鳴らしたり、遊技者に遊技状態を音声にて報知する。前枠２内部には各種機構部が配設されている。
【０００７】
　次に遊技盤３の遊技面上の構成について説明する。
　図２に示すように、遊技盤３の中央には第１の可変表示装置たる特別図柄表示装置（以下単に表示装置という）１５が組み込まれている。表示装置１５は液晶ディスプレイ（ＬＣＤ）よりなる表示画面１５ａを備えている。表示画面１５ａの図柄変動は遊技球が第１種始動口１８へ入賞することで開始する。表示装置１５の上部には普通図柄表示装置１６が併設されている。普通図柄表示装置１６は発光ダイオード（ＬＥＤ）よりなる４つの保留ランプ１６ａ〜１６ｄとＬＥＤよりなるセグメント表示部１７とを有している。
　表示装置１５の下方には第１種始動口１８が配置され、同第１種始動口１８の前面には球受け部材としての球受け具２０が装着されている。第１種始動口１８には球検出手段たる近接スイッチ１８ａが埋設されている。球受け具２０の入り口には一対の開閉羽根２６が併設されており、遊技球を案内する開放位置と、第１種始動口１８内に遊技球が入りにくくなる閉塞位置を採りうる。第１種始動口１８への入賞に基づいて前記表示装置１５が作動される。開閉羽根２６は遊技盤３の裏面側に配設されたソレノイド２７によって駆動される。
　遊技盤３の面上には遊技釘が適宜配置され、球受け具２０の直上には一対の命釘２１ａ、２１ｂが配置されている。遊技釘は遊技盤３に打ち込まれている。
【０００８】
　以下、球受け具２０について詳述する。図３（ａ）〜（ｄ）に示すように球受け具２０は、基盤２２、導入口２４、開閉羽根２６、球受け部２８、規制手段としての命釘規制部３０、開閉羽根の開閉桿３２、ピン３４とから構成されている。基盤２２の中央部には開口部２２ａが形成されている。開口部２２ａの裏面には略四角筒状の導入口２４が形成され、導入口２４の下部中央には半円筒状の樋２４ａが形成されている。基盤２２の前面には、球受け部２８が基盤２２の開口部２２ａを覆うように装着されている。球受け部２８には一対の係止爪２８ａが形成され、同係止爪２８ａは基盤２２の開口部２２ａの両側に形成された係止孔２２ｂに係合されている。球受け部２８の係止爪の上方には一対の軸２８ｂが形成されている。基盤２２と球受け部２８との間であって、基盤２２の開口部２２ａの両側には一対の開閉羽根２６が装着されている。開閉羽根２６は先端が細くなった略三角函体状に形成され、基端寄りに回動孔２６ａ、基端に切欠部２６ｂが形成されている。球受け部２８に形成された一対の軸２８ｂは開閉羽根２６の回動孔２６ａに軸通されており、開閉羽根２６は軸２８ｂを中心に回動可能に装着されている。略四角筒状の導入口２４内には開閉羽根２６の開閉桿３２がピン３４を軸として上下方向に回動可能に装着されている。開閉桿３２は、前記ソレノイド２７の駆動により上下動する第１の腕部３２ａとピン３４が軸通される軸受部３２ｂと軸受部３２ｂの両端から延設される一対の第２の腕部３２ｃとからなる。第２の腕部３２ｃの先端は開閉羽根２６の切欠部２６ｂと係合しており、第１の腕部３２ａが押し下げられると第２の腕部３２ｃはピン３４を軸に上方に回動する。第２の腕部３２ｃの先端は開閉羽根２６の切欠部２６ｂを上方に押し上げ、開閉羽根２６の先端が外側に回動し、開閉羽根２６が開くようになっている。逆に第１の腕部３２ａが押し上げられると第２の腕部３２ｃはピン３４を軸に下方に回動する。第２の腕部３２ｃの先端は開閉羽根２６の切欠部２６ｂを下方に押し下げ、開閉羽根２６の先端が内側に回動し、開閉羽根２６が閉じるようになっている。
【０００９】
　基盤２２の上部には、命釘規制部３０が形成されている。命釘規制部３０は、前板３０ａと同前板３０ａを支持する一対の側板３０ｂとにより枠状に形成されている。前板３０ａは、側板３０ｂよりも高く形成され、その上部には、一対の係合部３０ｃが形成されている。係合部３０ｃは、前板３０ａの内側（遊技盤３の側）の面に一対の円形の凸部を形成し、その凸部に一対の円形の凹部を形成したものである。係合部３０ｃの径は、遊技釘の頭部の径よりも少し大きく形成されている。基盤２２の両端寄りには、球受け具２０を遊技盤３にネジで装着するための一対の孔３６が形成されている。球受け具２０が遊技盤３にネジ３７で装着された状態においては、図４（ａ）〜（ｄ）に示すように命釘２１ａ、２１ｂの頭部は、命釘規制部３０の係合部３０ｃと係合している。図中、距離Ｐの長さは約１９ｍｍ、距離Ｑの長さは約１８ｍｍである。
【００１０】
　表示装置１５の両側には一対の通過ゲート３８が配置されている。同ゲート３８には遊技球の通過を検出する球検出手段たる近接スイッチ３８ａが埋設されている。通過ゲート３８を遊技球が通過すると前記普通図柄表示装置１６が作動する。図５（ａ）（ｂ）に示すように、通過ゲート３８は、基盤４０とその前面に形成された枠状のゲート４２とからなる。ゲート４２は前板４２ａと同前板４２ａを支持する一対の側板４２ｂとからなる。前板４２ａは、側板４２ｂよりも高く形成され、その上部には、一対の係合部４２ｃが形成されている。係合部４２ｃは、前板４２ａの内側（遊技盤３の側）の面に一対の円形の凸部を形成し、その凸部に一対の円形の凹部を形成したものである。係合部４２ｃの径は、遊技釘の頭部の径よりも少し大きく形成されている。通過ゲート３８の直上には、一対の命釘３９ａ、３９ｂが配設されている。命釘３９ａ、３９ｂの頭部は、通過ゲート３８の係合部４２ｃと係合している。図中、距離Ｔの長さは約１９ｍｍ、距離Ｕの長さは約１８ｍｍである。
【００１１】
　通過ゲート３８の下方には一対の普通入賞口４４が配置されている。普通入賞口４４には、球検出手段たる近接スイッチ４４ａが埋設されている。普通入賞口４４の前面には、球受け部材としての球受け具４６が装着されている。図６（ａ）（ｂ）に示すように、球受け具４６の上部には開口部４６ａが形成され、同開口部４６ａの前面側の縁からは、前板４８が延設され、その上部には一対の係合部４８ａが形成されている。係合部４８ａは、前板４８の内側（遊技盤３の側）の面に一対の円形の凸部を形成し、その凸部に一対の円形の凹部を形成したものである。係合部４８ａの径は、遊技釘の頭部の径よりも少し大きく形成されている。球受け具４６の直上には、一対の命釘４７ａ、４７ｂが配設されている。命釘４７ａ、４７ｂの頭部は、球受け具４６の係合部４８ａと係合している。図中、距離Ｖの長さは約１９ｍｍ、距離Ｗの長さは約１８ｍｍである。表示装置１５の上部の両側には風車５０ａ，５０ｂが、下部の両側には風車５０ｃ，５０ｄが配置されている。
　前記第１種始動口１８の下方には大入賞口５４が配置されている。大入賞口５４は、常時はシャッタ５６が閉塞されており、前記表示装置１５が作動されて特別遊技状態となると開放される。シャッタ５６は遊技盤３の裏面側に配設されたソレノイド５６ａによって駆動される。また、大入賞口５４へ入賞する遊技球全体を検出する球検出手段たる近接スイッチ５４ａが埋設されている。大入賞口５４の通路内にはＶゾーン５８が形成されている。同Ｖゾーン５８には同ゾーン５８を通過する遊技球を検出する球検出手段たる近接スイッチ５８ａが埋設されている。
【００１２】
　次に、本実施の形態の遊技機の作用について説明する。本実施の形態のパチンコ機においては、第１種始動口１８の前面に装着された球受け具２０、通過ゲート３８、普通入賞口４４の前面に装着された球受け具４６のそれぞれ直上に配置された一対の命釘２１ａ，２１ｂ、３９ａ，３９ｂ、４７ａ，４７ｂの頭部が、それぞれ一対の係合部３０ｃ、４２ｃ、４８ａと係合し、移動不能に規制されている。従って、パチンコ店側が遊技機設置後において、命釘２１ａ、２１ｂ、３９ａ、３９ｂ、４７ａ、４７ｂをハンマ等で叩いても命釘の位置は変わらず、入賞確率を調整することはできない。
【００１３】
　このように構成することにより本実施の形態の遊技機は以下のような効果を奏する。
・第１種始動口１８の前面に装着された球受け具２０、通過ゲート３８、普通入賞口４４の前面に装着された球受け具４６のそれぞれ直上に配置された一対の命釘２１ａ、２１ｂ、３９ａ、３９ｂ、４７ａ、４７ｂの頭部が、それぞれ一対の係合部３０ｃ、４２ｃ、４８ａと係合し、移動不能に規制されているので、パチンコ店側が遊技機設置後において、命釘２１ａ、２１ｂ、３９ａ、３９ｂ、４７ａ、４７ｂをハンマ等で叩いて入賞確率を調整することはできない。
・遊技機製造メーカーにおいて、製造当初から予定された入賞確率がパチンコ店に設置された後も維持され、パチンコ店による恣意的な入賞確率設定を排除できる。
・パチンコ店側が命釘を調整して入賞確率を変動させることができないので、徒に遊技者の射幸心を煽ることもなく、健全な遊技環境を破壊するおそれがない。
・命釘２１ａ、２１ｂ、３９ａ、３９ｂ、４７ａ、４７ｂの頭部以外の部分は規制されないので、遊技球が命釘２１ａ、２１ｂ、３９ａ、３９ｂ、４７ａ、４７ｂの頭部以外の部分に衝突した後の挙動に影響を与えることがない。即ち、命釘の頭部以外の部分を規制した場合には、遊技球が規制手段に衝突するとその後の挙動に影響を与える。
【００１４】
　なお、この発明は前記実施の形態に限定されるものではなく、次のように変更して具体化することも可能である。
　・図７に示すように、基盤２２に装着された球受け部２８の前面の前板２８ａを上方に延設し、その前板２８ａの盤面側に一対の係合部７０を形成してもよい。係合部７０は、前板２８ａの内側（遊技盤３の側）の面に一対の円形の凸部を形成し、その凸部に一対の円形の凹部を形成したものである。係合部７０の径は、遊技釘の頭部の径よりも少し大きく形成されている。この場合には、開閉羽根２６が開いたときの入賞確率を左右する一対の命釘７２をパチンコ店が調整することを防止できる。
　・図８に示すように、命釘７４の頭部を移動不能に規制する係合部７６を凹部でなく、孔としてもよい。パチンコ機においては、通常盤面からガラス板までの距離が約１９ｍｍ、盤面から遊技釘の頭頂までの距離が約１８ｍｍであり、凹部とした場合は係合部がガラス板と接触するおそれがあるが、孔とした場合にはそのおそれがない。
　・図９に示すように、命釘の頭部を移動不能に規制する係合部８０ａ、８０ｂの凹部を長円形としてもよい。この場合には、パチンコ機の製造時に命釘の位置をその範囲で調整できる。
　・図１０（ａ）〜（ｄ）に示すように、一対の命釘８２ａ、８２ｂの頭部同士をスペーサ８４で連結してもよい。スペーサ８４は長板状に形成され、両端に鉤状の把持部８４ａを形成したものである。スペーサ８４は、同把持部８４ａを命釘８２ａ、８２ｂの頭部の下方に装着することにより使用される。この場合には、設置後にパチンコ店において一対の命釘８２ａ、８２ｂをハンマ等で殴打して曲げることは可能であるが、一対の命釘８２ａ、８２ｂの間隔を拡げたり、狭めたりすることはできないので大幅に入賞確率を変動させることは不可能である。また、３本の命釘、８５ａ、８５ｂ、８５ｃの頭部同士も相互にスペーサ８４で連結できる。従って、命釘が３本以上の場合でも対応できる。
　・図１１（ａ）〜（ｄ）に示すように、固定具８８を用いて命釘を調整できないようにしてもよい。固定具８８は、筒状の保持部９０の一端に円盤状の固定部９２を固設したものである。固定部９２には遊技盤３に装着するための一対のネジ孔９２ａが形成されている。固定具８８は、保持部９０を命釘９４の外側を覆うようにして装着し、固定部９２を遊技盤３にネジで固定することにより使用される。この場合には固定具８８を靭性の低い素材で形成すれば、命釘を曲げようとすれば固定具８８は破壊されてしまうので、固定具８８を破壊しないで命釘９４を調整することはできない。また、図１２（ａ）（ｂ）に示すように、球受け具９５の基盤９６から固定部９８を延設し、一体的に形成してもよい。
　・図１３（ａ）（ｂ）に示すように、図柄表示装置１００の周囲を装飾する装飾部材１０２の上部に遊技球Ｂの入口１０４が設けられ、同入口１０４に入った遊技球Ｂが通路１０６を通ってステージ１０８上に移動し、孔１１０から落下して入賞口１１２に入賞する遊技機においては、入口１０４の上部に配置された一対の命釘１１４ａ、１１４ｂの移動を規制する命釘規制部１１６を設けてもよい。命釘規制部１１６は、装飾部材１０２から延設された前板１１８の盤面側に一対の係合部１２０を形成したものである。係合部１２０は、前板１１８の内側の面に一対の円形の凸部を形成し、その凸部に一対の円形の凹部を形成したものである。係合部１２０の径は、遊技釘の頭部の径よりも少し大きく形成されている。
【００１５】
　本発明について上記実施の形態から把握できる技術的思想について以下に記載する。
　・ほぼ垂直に配置された遊技盤と遊技球を弾く弾球手段とを有し、少なくとも同遊技盤面に球入口を形成し、前記弾球手段によって弾かれて上方から落下する遊技球を同球入口へ導く命釘を装着した遊技機において、前記命釘を調整不能に規制する規制手段を設けたことを特徴とする遊技機。上記実施の形態では、球受け具２０、通過ゲート３８、球受け具４６、入口１０４が球入口に相当する。
　・ほぼ垂直に配置された遊技盤と遊技球を弾く弾球手段とを有し、少なくとも同遊技盤面に前記弾球手段によって弾かれて上方から落下する遊技球が通過する球通過部材を同盤面に装着し、同球通過部材を遊技球が通過すると入賞確率に影響を及ぼし、同球通過部材の球導入口へ遊技球を導く命釘を装着した遊技機において、前記命釘を調整不能に規制する規制手段を設けたことを特徴とする遊技機。
　・前記規制手段は、筒状の規制部と同規制部を遊技盤面とほぼ垂直に固定する基盤とからなることを特徴とする請求項１に記載の遊技機。
【図面の簡単な説明】
【００１６】
【図１】本発明の実施の形態のパチンコ機の斜視図。
【図２】実施の形態のパチンコ機の盤面を示す正面図。
【図３】（ａ）実施の形態のパチンコ機の始動口の前面に装着される球受け具を正面側から見た斜視図。（ｂ）同球受け具の背面側から見た斜視図。（ｃ）同球受け具を正面側から見た分解斜視図。（ｄ）同球受け具の背面側から見た分解斜視図。
【図４】（ａ）実施の形態のパチンコ機の始動口の前面に装着される球受け具の正面図。（ｂ）図（ａ）におけるＡ−Ａ断面図。（ｃ）図（ａ）における一部破断Ｂ−Ｂ断面図。（ｄ）図（ａ）におけるＣ−Ｃ断面図。
【図５】（ａ）実施の形態のパチンコ機の通過ゲートを示す正面図。（ｂ）図（ａ）におけるＡ−Ａ断面図。
【図６】（ａ）実施の形態のパチンコ機の普通入賞口の球受け具を示す一部破断正面図。（ｂ）図（ａ）におけるＡ−Ａ断面図。
【図７】実施の形態のパチンコ機の始動口の前面に装着される別例の球受け具の正面図。
【図８】実施の形態のパチンコ機の入賞口の前面に装着される別例の球受け具の係止部の断面図。
【図９】（ａ）実施の形態のパチンコ機の入賞口の前面に装着される別例の球受け具の係止部の背面図。（ｂ）図（ａ）におけるＡ−Ａ断面図。
【図１０】（ａ）命釘のスペーサで命釘同士を連結した状態を示す正面図。（ｂ）同平面図。（ｃ）同命釘のスペーサの正面図。（ｄ）同スペーサで３本の命釘同士を連結した状態を示す正面図。
【図１１】（ａ）命釘の固定具を示す正面図。（ｂ）同平面図。（ｃ）図（ａ）におけるＡ−Ａ断面図。（ｄ）命釘の固定具を遊技盤に装着した状態を示す正面図。
【図１２】（ａ）実施の形態のパチンコ機の入賞口の前面に装着される別例の球受け具の正面図。（ｂ）図（ａ）におけるＡ−Ａ断面図。
【図１３】（ａ）実施の形態の別例のパチンコ機の盤面を示す正面図。（ｂ）図（ａ）におけるＡ−Ａ拡大断面図。
【符号の説明】
【００１７】
　３…遊技盤、２０…球受け部材としての球受け具、２１ａ、２１ｂ…命釘、３０ｃ、４２ｃ…係合部、８４…スペーサ。